(57)【要約】【課題】消費者が商品を注意深く詳しく見るようにし、全ての商品についての内容及び機能を説明することを可能にし、低コストで、説明方法の種類も豊富にできるようにする。【解決手段】本考案の陳列商品サンプルのサウンド機能を持つ発光装置は、その回路板には複数の発光ダイオード、点滅回路、スピーカー、サウンド回路及び操作スイッチが取り付けられた回路板を備えている。前述の発光ダイオードが点滅することにより陳列商品のサンプルを目立たせて、その商品の位置を表示するようになっている。そして、操作スイッチを押すと、スピーカーにより商品の内容を音声や曲によって紹介するようになっている。したがって、消費者はその商品の内容がよくわかり、購入の際の参考にすることができる。また、販売者の側も商品の紹介をするに際して、それが便利に行なえ、時間とコストの節約が可能である。【選択図】      図１
0003109565.tif 000002
【実用新案登録請求の範囲】
【請求項１】
一般のパッケージのサンプルに応用することができ、長形溝に収納された陳列商品サンプルのサウンド機能を持つ発光装置であって、
前記ボックスが前記長形溝内にあり、該ボックスの表面及び側面は前記長形溝の外に露出し、その表面及び側面には複数の穴及びスピーカー用開口部が開いていて、同時に、少なくとも１個のスイッチ開口部が開いていて、
回路板は前記ボックス内にあって、その回路板には複数の発光ダイオード、スピーカー、及び少なくとも１個の操作スイッチがあって、前記発光ダイオードの各々が前記各穴内に収納され、前記スピーカーは前記スピーカー用開口部の下方の位置にあり、前記操作スイッチは前記スイッチ開口部内に収納されて、消費者が操作できるように構成され、
陳列棚上の前記サンプルが、前記発光ダイオードの点滅によって、消費者の周囲を引き、同時に、前記操作スイッチによって前記スピーカーから音声が発せられ、消費者がただちに商品内容及び情報を得ることができるようになっていることを特徴とする、陳列商品サンプルのサウンド機能を持つ発光装置。
【請求項２】
前記ボックスの表面の適当な位置にイヤホーンジャックがあって、ボイス回路の出力端末に接続することで、再生の内容が外に漏れないようになっているとの特徴を持つ、請求項１に記載の陳列商品サンプルのサウンド機能を持つ発光装置。
【請求項３】
前記回路板には前記操作スイッチを経て直流電源が投入され、該操作スイッチがそれぞれ点滅回路及びボイス回路に接続し、さらに、前記点滅回路が前記発光ダイオードに接続し、前記ボイス回路が前記スピーカーと前記イヤホーンジャックに接続する、請求項２に記載の陳列商品サンプルのサウンド機能を持つ発光装置。
【請求項４】
前記操作スイッチがタッチスイッチ、プッシュスイッチ、切り替えスイッチでも可能な、請求項１ないし３のいずれか１つに記載の陳列商品サンプルのサウンド機能を持つ発光装置。
【請求項５】
前記ボックスがＬ字型で、該ボックスの表面が前記パッケージの前記長形溝から露出していて、ケースの蓋を利用して固定することで、脱落しないようになっている、請求項１ないし４のいずれか１つに記載の陳列商品サンプルのサウンド機能を持つ発光装置。
【考案の詳細な説明】
【技術分野】
【０００１】
本考案は陳列商品サンプルのサウンド機能を持つ発光装置に関する。本考案の陳列商品サンプルのサウンド機能を持つ発光装置は、陳列商品に点滅発光する機能を持たせることによって、サンプルの位置を表示する効果を発揮する。そして、消費者が手に取って、その内容紹介を聞くことが可能であるため、購入の際の参考に役立つという特徴を持つ。
【背景技術】
【０００２】
従来では、売り場の陳列棚にある商品を消費者が購入しようとする時は、必ず商品を手にとってパッケージの説明を見るか、販売者がその商品の内容や価格を放送して消費者に知らせるようにしていた。
【考案の開示】
【考案が解決しようとする課題】
【０００３】
１、しかしながら、消費者が商品を手にとってその内容を見る時、ほとんどがさっと目を通すだけで、注意深く詳しく見ることは少ない。これは、販売者側にとって、ビジネスのチャンスを逸する可能性がある。また、消費者がその商品をよく理解しないことは、その商品の販売率に影響することにもなる。
２、消費者の注意を引くために、販売者は広告放送を行なう場合が多い。特定の商品の内容及び機能を説明することで、消費者のその商品に対する購買欲を駆り立てると言う目的である。しかしながら、全ての商品の広告放送を行なうことが不可能であり、限られた製品にのみ効果があるだけである。
３、販売場所において、特定の売り出し商品の広告放送は、音響放送設備が必要である。これはコストがかかり、放送の種類も限られる。
本考案は、これら１〜３の課題を解決することを目的とする。
【課題を解決するための手段】
【０００４】
前記目的を達成するために、請求項１に記載の陳列商品サンプルのサウンド機能を持つ発光装置では、
一般のパッケージのサンプルに応用することができ、長形溝に収納された陳列商品サンプルのサウンド機能を持つ発光装置であって、
前記ボックスが前記長形溝内にあり、該ボックスの表面及び側面は前記長形溝の外に露出し、その表面及び側面には複数の穴及びスピーカー用開口部が開いていて、同時に、少なくとも１個のスイッチ開口部が開いていて、
回路板は前記ボックス内にあって、その回路板には複数の発光ダイオード、スピーカー、及び少なくとも１個の操作スイッチがあって、前記発光ダイオードの各々が前記各穴内に収納され、前記スピーカーは前記スピーカー用開口部の下方の位置にあり、前記操作スイッチは前記スイッチ開口部内に収納されて、消費者が操作できるように構成され、
陳列棚上の前記サンプルが、前記発光ダイオードの点滅によって、消費者の周囲を引き、同時に、前記操作スイッチによって前記スピーカーから音声が発せられ、消費者がただちに商品内容及び情報を得ることができるようになっていることを特徴とする。
【０００５】
請求項２に記載の陳列商品サンプルのサウンド機能を持つ発光装置では、前記ボックスの表面の適当な位置にイヤホーンジャックがあって、ボイス回路の出力端末に接続することで、再生の内容が外に漏れないようになっているとの特徴を持つ。
請求項３に記載の陳列商品サンプルのサウンド機能を持つ発光装置では、前記回路板には前記操作スイッチを経て直流電源が投入され、該操作スイッチがそれぞれ点滅回路及びボイス回路に接続し、さらに、前記点滅回路が前記発光ダイオードに接続し、前記ボイス回路が前記スピーカーと前記イヤホーンジャックに接続することを特徴とする。
請求項４に記載の陳列商品サンプルのサウンド機能を持つ発光装置では、前記操作スイッチがタッチスイッチ、プッシュスイッチ、切り替えスイッチでも可能なことを特徴とする。
請求項５に記載の陳列商品サンプルのサウンド機能を持つ発光装置では、前記ボックスがＬ字型で、該ボックスの表面が前記パッケージの前記長形溝から露出していて、ケースの蓋を利用して固定することで、脱落しないようになっていることを特徴とする。
【考案の効果】
【０００６】
請求項１〜５に記載の考案によれば、陳列棚上のサンプルが、発光ダイオードの点滅によって、消費者の周囲を引き、同時に、操作スイッチによってスピーカーから音声が発せられ、消費者がただちに商品内容及び情報を得ることができるようになっていることを特徴とするので、購買欲を引き出す効果がある。そして、パッケージ内に設置された回路板が、ランプの点滅機能を持ち、消費者が操作することが可能で、イヤホーンの使用も可能であることにより、消費者が製品内容を理解し、購買欲を高める効果があり、創造性に富み、実用性も高い。
【０００７】
そして、本考案の陳列商品サンプルのサウンド機能を持つ発光装置は、陳列されている全ての商品に、ボイスコントロール回路が組み込まれていて、さらに、発光ダイオードの点滅によって、消費者の注意を引き、さらに、消費者が直接その商品を操作して、その商品のサンプルの内容説明や音楽、あるいは、現在のキャンペーン内容を聞くことが可能である。したがって、どの商品の情報も消費者に提供することが可能で、消費者の購買欲を上げる効果がある。
また、陳列棚の商品は、ボイスコントロール回路をボックス内に取り付けて、その該当する商品のパッケージ内に組み合わせ、さらに、そのボックスが複数の発光ダイオード、スピーカー、スイッチ、また、イヤホーンを追加して、消費者がすぐに操作することで、その商品の内容や機能の説明を聞くことが可能で、必要に応じてその音楽を再生することもでき、消費者が購入の際の参考に役立てることが可能である。
【考案を実施するための最良の形態】
【０００８】
以下に、本考案の好適な実施形態について図面を参照して説明する。尚、本考案の実施の形態は、下記の実施形態に何ら限定されるものではなく、本考案の技術的範囲に属する限り種々の形態を採り得ることは無論である。
【０００９】
ここではＣＤ製品を例にした実施形態で説明する。
先ず、図１、図２を参照して説明すると、ＣＤパッケージのケース１の内側にあるＣＤ固定トレー（図示せず）を取り除くと、パッケージケース正面のケースの蓋１１とケース本体１２の間に、長形溝１３がある。この長形溝１３はボックス２を収納するようになっている。
このボックス２はＬ字型で、長形溝１３内に収納され、ケースの蓋１１とケース本体１２が閉じられると、このボックス２は脱落しないようになっている。このボックス２の表面２１及び側面２２は、その長形溝１３の外に露出する。このボックス２の表面２１及び側面２２には、複数の穴２１１及びスピーカー用開口部２１２が開いていて、少なくとも、１個のスイッチ開口部２１３が開いている。回路板３（図３参照）は、その上に前述の穴２１１、スピーカー用開口部２１２、少なくとも１個のスイッチ開口部２１３に対応する複数の発光ダイオード３１、スピーカー３２、少なくとも１個の操作スイッチ３３の位置に対応するようになっていることにより、各発光ダイオード３１が各穴２１１内に収納され、スピーカー３２はスピーカー用開口部２１２の下方位置にあり、この操作スイッチ３３はスイッチ開口部２１３内に収納されて、消費者が操作できるようになっている。
この操作スイッチ３３はいかなる形式上の制限も受けない。例えば、タッチスイッチ、プッシュスイッチ、切り替えスイッチ等、全て本考案の点滅回路及びボイス回路を起動させることが可能である。
【００１０】
次に、図３を参照して説明すると、このボックス２内にある回路板３は、直流電源Ｐが操作スイッチ３３を経て、さらに、それぞれ点滅回路ＩＣ１とボイス回路ＩＣ２に接続し、そして、点滅回路ＩＣ１は発光ダイオード３１に接続し、ボイス回路ＩＣ２はスピーカー３２とイヤホーンジャックＥに接続する。広告内容の信号はあらかじめボイス回路ＩＣ２に保存されていることにより、使用者は操作スイッチ３３によってボイス回路ＩＣ２を起動して、あらかじめ保存された音声をスピーカー３２から聞くことができる。イヤホーンを使用する場合は、イヤホーンジャックＥに接続すると、自動的にスピーカー３２から発せられる音声が変換されてイヤホーンから聞くことができる。操作スイッチ３３が点滅回路ＩＣ１を起動させることで、発光ダイオード３１が各種の点滅状態を発生させ、図４に示すように商品が陳列された状態において消費者の注意を引くと同時に、ボイス放送を通じて製品内容が理解でき、購買欲を高めることが可能である。
【図面の簡単な説明】
【００１１】
【図１】本考案の一実施形態を示す立体分解図である。
【図２】本考案の一実施形態を示す立体組立図である。
【図３】本考案の一実施形態を示す回路装置のブロック図である。
【図４】図１に示す商品が陳列されている状態を示す斜視図である。
【符号の説明】
【００１２】
１…ＣＤケース    １１…ケースの蓋    １２…ケース本体    １３…長形溝
２…ボックス    ２１…表面    ２２…側面    ２１１…穴
２１２…スピーカー用開口部    ２１３…スイッチ開口部
３１…発光ダイオード    ３２…スピーカー    ３３…操作スイッチ
Ｅ…イヤホーンジャック
【図１】
0003109565.tif 000003
【図２】
0003109565.tif 000004
【図３】
0003109565.tif 000005
【図４】
0003109565.tif 000006